(57)【要約】【課題】  ＭＲＩ装置作動時の大騒音環境下にあっても、操作者から被検者に送られる音声を明確に聞き取ることができる、ＭＲＩ装置における音声通信装置を提供する。【解決手段】  検査室１に設置されたガントリ２内の被検者５と操作室３内の操作者６との間で音声の一方向又は双方向通信を行うＭＲＩ装置における音声通信装置において、被検者５側に備えられる送話用及び／又は受話用の音響トランスデューサを、骨伝導形のマイクロホン、スピーカ７により構成する。骨伝導形のマイクロホン、スピーカ７は、空気を伝達媒体とせず、それ自身を被検者５に接触させることによって音声を被検者５に伝達し、又は被検者５から伝達される。大騒音環境下にあっても騒音の影響を受けずに音声の伝達が行われる。耳栓、遮音用イヤーマフとの併用を可能に構成した。【選択図】        図１
2005245580.tif 000002
【特許請求の範囲】
【請求項１】
検査室に設置されたガントリ内の被検者側と前記検査室外に設置された操作卓側との間で音声の一方向又は双方向通信を行うＭＲＩ装置における音声通信装置において、
前記被検者側に備えられる送話用及び／又は受話用の音響トランスデューサが、空気を伝達媒体とせず、該音響トランスデューサ自体を被検者に直接又は保護部材を介して接触させることによって音声を該被検者に伝達する、又は該被検者から伝達される音声直接伝達形音響トランスデューサにより構成されることを特徴とするＭＲＩ装置における音声通信装置。
【請求項２】
請求項１に記載のＭＲＩ装置における音声通信装置において、
音声直接伝達形音響トランスデューサが非磁性体で構成されることを特徴とするＭＲＩ装置における音声通信装置。
【請求項３】
請求項２に記載のＭＲＩ装置における音声通信装置において、送話用の音声直接伝達形音響トランスデューサが圧電型骨伝導マイクロホンにより構成され、受話用の音声直接伝達形音響トランスデューサが圧電型骨伝導スピーカにより構成されることを特徴とするＭＲＩ装置における音声通信装置。
【請求項４】
請求項３に記載のＭＲＩ装置における音声通信装置において、
被検者に装着可能な遮音用イヤーマフを備え、圧電型骨伝導マイクロホン及び／又は圧電型骨伝導スピーカが、その作動面が前記遮音用イヤーマフの前記被検者への装着時に、該被検者に直接又は保護部材を介して接触するように前記遮音用イヤーマフに組み込まれることを特徴とするＭＲＩ装置における音声通信装置。
【請求項５】
検査室に設置されたガントリ内の被検者側と前記検査室外に設置された操作卓側との間で音声の一方向又は双方向通信を行うＭＲＩ装置における音声通信装置において、
前記被検者側に備えられる受話用の音響トランスデューサが骨伝導スピーカにより構成され、かつ、
前記操作卓側から音楽信号を送出し、該音楽信号を、前記音声直接伝達形音響トランスデューサに与えて再生し、音楽を出力させる音楽送信手段を具備することを特徴とするＭＲＩ装置における音声通信装置。
【発明の詳細な説明】
【技術分野】
【０００１】
本発明は、病院、その他の医療用診療施設等に設置されるＭＲＩ装置において、その検査室に設置されたガントリ（撮像系）内の被検者側と操作室に設置された操作卓側との間で音声の一方向又は双方向通信を行う音声通信装置に関するものである。
【背景技術】
【０００２】
核磁気共鳴（ＮＭＲ）現象を用いて医療における診断及び治療用画像を得るＭＲＩ装置は、人体内部の臓器や組織についてコントラストの高い画像が得られることから、癌や腫瘍、疾病の診断に威力を発揮している。また、人体に対して非浸襲でＸ線ＣＴ装置のように放射線被爆がない等の特長を有するため、近年、その需要が更に高まってきている。
このようにＭＲＩ装置は医用画像診断装置として極めて有効であるが、被検者にとっては以下のような問題があった。
【０００３】
ＭＲＩ装置が被検者を収めるために有する検査空間としてのＭＲＩガントリ空間は、極めて狭い検査空間領域で設計配置され、そのガントリが作動中（検査中）は１００ｄＢ以上にも達するという極めて大きな騒音を発し、検査時間も数１０分から長いときには１時間以上までも必要とするのが実情である。
すなわち被検者は、検査中、閉じられた狭い検査空間（検査室）において、なおかつ外部との通信連絡手段が非常に貧弱な状態に置かれながら、極めて大きな騒音に長時間さらされることになり、被検者の精神的及び肉体的な負担は大きく、孤独感と多大な不快感を与える。のみならず、一時的に難聴を来たすおそれもあり、騒音対策は極めて重要となる。
【０００４】
この種の騒音対策としては、ＭＲＩ装置自体を静音化する方法があるが、この方法は極めて大掛かりで解決困難な点も多いことから、将来的な解決方法として期待されるにとどまる。騒音対策として最も身近で簡単な方法としては、耳栓や遮音用イヤーマフを用いて耳を塞ぐという方法がある。
しかし耳栓やイヤーマフによって遮音する方法では、外部からの必要な音声、例えばＭＲＩ装置の操作者からの音声までをも遮断してしまうという難点があった。
【０００５】
そこで従来、ＭＲＩ装置において、騒音対策が施された被検者及び操作者間の通信装置が提案されている。これは、耳収容部で耳を塞ぎながら音声伝達管で音声を直接被検者の耳孔に送る通信装置である（特許文献１参照）。
【０００６】
【特許文献１】特開２００３−１２６０５８号公報
【発明の開示】
【発明が解決しようとする課題】
【０００７】
しかしながら上記従来装置では、音声の伝達は空気を媒体として行うものであり、被検者の耳孔部分において騒音が混入することも少なくない。したがって、１００ｄＢ以上にも達する大騒音環境下において有効な音声伝達方法とはいえず、結局は、人間の聴覚がもつ高度な騒音排除能力（騒音の中から必要な音声を聞き分ける能力）に頼っているというのが実情であった。
【０００８】
特許請求の範囲の請求項１に記載の発明は、上記のような実情に鑑みなされたもので、ＭＲＩ装置作動時の大騒音環境下にあっても、操作卓側から被検者側に送られる音声を、人間の聴覚がもつ高度な騒音排除能力に頼ることなく明確に聞き取ることができ、また被検者側から操作卓側に音声を送る場合にも操作卓側においてその音声を常に明確に聞き取ることができる、ＭＲＩ装置における音声通信装置を提供することを目的とする。
【０００９】
同請求項２に記載の発明は、上記請求項１に記載の発明において、音声直接伝達形音響トランスデューサが鉄等の磁性体で構成されることに起因するＭＲＩ画像中のノイズと画像の欠落、あるいは画像の歪みの発生を防止できる、ＭＲＩ装置における声通信装置を提供することを目的とする。
【００１０】
同請求項３に記載の発明は、上記請求項２に記載の発明において、音声直接伝達形音響トランスデューサを具体的に実現したＭＲＩ装置における音声通信装置を提供することを目的とする。
【００１１】
同請求項４に記載の発明は、上記請求項３に記載の発明において、被検者にとって使いやすく、また、耳栓や遮音用イヤーマフを別途用意することなく、操作卓側からの音声をより鮮明に聞き取ることができる、ＭＲＩ装置における音声通信装置を提供することを目的とする。
【００１２】
同請求項５に記載の発明は、ＭＲＩ装置作動時の大騒音環境下にあっても、操作卓側から被検者側に送られる音声を、人間の聴覚がもつ高度な騒音排除能力に頼ることなく明確に聞き取ることができ、かつ、ＭＲＩ検査の前後に亘って被検者の精神的な負担を緩和できる、ＭＲＩ装置における音声通信装置を提供することを目的とする。
【課題を解決するための手段】
【００１３】
上記目的を達成するために、特許請求の範囲の請求項１に記載の発明は、検査室に設置されたガントリ内の被検者側と前記検査室外に設置された操作卓側との間で音声の一方向又は双方向通信を行うＭＲＩ装置における音声通信装置において、前記被検者側に備えられる送話用及び／又は受話用の音響トランスデューサが、空気を伝達媒体とせず、該音響トランスデューサ自体を被検者に直接又は保護部材を介して接触させることによって音声を該被検者に伝達する、又は該被検者から伝達される音声直接伝達形音響トランスデューサにより構成されることを特徴とする。
【００１４】
同請求項２に記載の発明は、上記請求項１に記載の発明において、音声直接伝達形音響トランスデューサが非磁性体で構成されることを特徴とする。
【００１５】
同請求項３に記載の発明は、上記請求項２に記載の発明において、送話用の音
声直接伝達形音響トランスデューサが圧電型骨伝導マイクロホンにより構成され、受話用の音声直接伝達形音響トランスデューサが圧電型骨伝導スピーカにより構成されることを特徴とする。
【００１６】
同請求項４に記載の発明は、上記請求項３に記載の発明において、被検者に装着可能な遮音用イヤーマフを備え、圧電型骨伝導マイクロホン及び／又は圧電型骨伝導スピーカが、その作動面が前記遮音用イヤーマフの前記被検者への装着時に、該被検者に直接又は保護部材を介して接触するように前記遮音用イヤーマフに組み込まれることを特徴とする。
【００１７】
同請求項５に記載の発明は、検査室に設置されたガントリ内の被検者側と前記検査室外に設置された操作卓側との間で音声の一方向又は双方向通信を行うＭＲＩ装置における音声通信装置において、前記被検者側に備えられる受話用の音響トランスデューサが骨伝導スピーカにより構成され、かつ、前記操作卓側から音楽信号を送出し、該音楽信号を、前記骨伝導スピーカに与えて再生し、音楽を出力させる音楽送信手段を具備することを特徴とする。
【発明の効果】
【００１８】
特許請求の範囲の請求項１に記載の発明では、被検者側に備えられる送話用及び／又は受話用の音響トランスデューサを音声直接伝達形音響トランスデューサで構成した。これによれば、ＭＲＩ装置作動時の大騒音環境下にあっても、操作卓側から被検者側に送られる音声を、人間の聴覚がもつ高度な騒音排除能力に頼ることなく明確に聞き取ることができ、また被検者側から操作卓側に音声を送る場合にも操作卓側においてその音声を常に明確に聞き取ることができる。
また、聴覚関連器官を失った被検者、あるいは失ったに等しい程、聴覚機能が著しく低下した被検者に対しては、請求項１に記載の発明は補聴器としても機能することになり、その実用的価値は大である。
【００１９】
同請求項２に記載の発明によれば、上記請求項１に記載の発明において、音声直接伝達形音響トランスデューサを非磁性体で構成したので、同音響トランスデューサが鉄等の磁性体で構成されることに起因するＭＲＩ画像中のノイズと画像の欠落、あるいは画像の歪みの発生を防止できる。
【００２０】
同請求項３に記載の発明によれば、上記請求項２に記載の発明において、音声直接伝達形音響トランスデューサを具体的に実現できる。
【００２１】
同請求項４に記載の発明によれば、上記請求項３に記載の発明において、遮音用イヤーマフを備え、圧電型骨伝導マイクロホン及び／又は圧電型骨伝導スピーカを、その作動面が遮音用イヤーマフを被検者に装着した時に、その被検者に接触するように遮音用イヤーマフに組み込んだので、被検者にとって使いやすく、また、耳栓や遮音用イヤーマフを別途用意することなく、操作卓側からの音声をより鮮明に聞き取ることができる。
【００２２】
同請求項５に記載の発明では、被検者側に備えられる受話用の音響トランスデューサを骨伝導スピーカで構成した。また、操作卓側から音楽信号を送出し、その音楽信号を、上記骨伝導スピーカに与えて再生し、音楽を出力させる音楽送信手段を備えた。これによれば、ＭＲＩ装置作動時の大騒音環境下にあっても、操作卓側から被検者側に送られる音声を、人間の聴覚がもつ高度な騒音排除能力に頼ることなく明確に聞き取ることができ、かつ、ＭＲＩ検査の前後に亘って被検者の精神的な負担を緩和できる。
【発明を実施するための最良の形態】
【００２３】
以下、本発明の実施の形態を図面に基づき説明する。なお、各図間において、同一符号は同一又は相当部分を示す。
図１は、本発明によるＭＲＩ装置における音声通信装置の一実施形態の概略を示すブロック図である。
この図において、１はＭＲＩ装置の検査室であって、ＭＲＩ装置本体をなすガントリ（撮像系）２が設置されている。ガントリ２内には、後述被検者の搬送、保持用の寝台２ａが付帯設置されている。また、３は同装置運転用の操作室であって、後述被検者の目的とする臓器や部位若しくは患部についての位置決定や必要とするMRIの画像を撮像するためのＭＲＩ装置運転用の操作卓４が設置されている。
ガントリ２内の寝台２ａには被検者５が寝載されており、操作卓４の前には操作者６が着席している。ガントリ２内の被検者５側、具体的には患者等の被検者５と、操作卓４側、具体的には医師や診療放射線技師、臨床検査技師等の操作者６との間は、一方向又は双方向の音声通信が可能である。図示例では、双方向の音声通信、つまり被検者５と操作者６との間で送受話が可能である。
【００２４】
この送受話は、音声（振動）を電気信号に、あるいは電気信号を音声（振動）に変換する送話用、受話用の音響トランスデューサを用いて行われるが、本実施形態では、被検者５側に備えられる送話用、受話用の音響トランスデューサとして、各々音声直接伝達形音響トランスデューサが用いられている。
この音声直接伝達形音響トランスデューサは、空気を伝達媒体とせず、音響トランスデューサ自体を被検者５の身体の一部に、通常頭部５ａ（顔面や耳部分を含む。以下同じ。）に、直接又は保護部材を介して接触させることにより音声を被検者５に伝達する、あるいは被検者５から伝達される音響トランスデューサである。
このような音声直接伝達形音響トランスデューサとしては、例えば、送話用に骨伝導マイクロホンや咽喉マイクロホンが、受話用に骨伝導スピーカが使用される。
【００２５】
図示例においては、送話用に骨伝導マイクロホンが、受話用に骨伝導スピーカが使用されたヘッドホン形の送受話器が、被検者側送受話器７として被検者５の頭部５ａに装着されている。
操作者６の頭部５ａに装着された操作者側送受話器８は、空気を伝達媒体として音声を操作者に伝達する、あるいは操作者から伝達される通常の音響トランスデューサを用いた、ヘッドホン形の受話器８ａに送話器（マイクロホン）８ｂが連結された送受話器である。
【００２６】
両送受話器７，８は、双方向の音声通信制御装置９を介して接続されており、相互間で送受話可能である。音声通信制御装置９は、ここでは操作者６側の操作によって送受話が切替可能で、送受話器７，８の各々においてハウリングが生じないように構成されている。
【００２７】
このようなＭＲＩ装置における音声通信装置によれば、被検者側送受話器７として骨伝導マイクロホン及び骨伝導スピーカを用いた。したがって、ＭＲＩ装置作動時の大騒音環境下にあっても、操作卓４（操作者６）側から被検者５側に送られる音声を、人間の聴覚がもつ高度な騒音排除能力に頼ることなく明確に聞き取ることができる。この効果は、被検者５の耳孔から騒音が入っても発揮できるが、本実施形態では、耳栓や遮音用イヤーマフの併用も可能であり、これらを併用すれば操作者６側からの音声をより鮮明に聞き取りできる。遮音用イヤーマフの併用は、被検者側送受話器７の骨伝導マイクロホン及び骨伝導スピーカを遮音用イヤーマフに組み込むだけで容易に実現できる。
また、上述した音声通信装置は、聴覚関連器官を失った被検者、あるいは失ったに等しい程、聴覚機能が著しく低下した被検者に対しては、補聴器としても機能することになり、その実用的価値は大である。
【００２８】
なお、被検者側送受話器７を構成する各部、すなわち骨伝導マイクロホン、骨伝導スピーカ及びこれらをヘッドホン形の送受話器として連結する部材等を非磁性体によって構成すれば、磁気的影響（ノイズ及び画像の欠落、歪み）の少ないＭＲＩ画像が得られる。音声通信制御装置９から被検者側送受話器７に至る通信線１０のうち、ＭＲＩ画像に磁気的影響を及ぼす範囲、例えば検査室１内、特にガントリ２内に位置する通信線部分１０ａについて、非磁性体からなる電線、例えば銅製の電線を用いれば、これによっても磁気的影響（ノイズ及び画像の欠落、歪み）の少ないＭＲＩ画像が得られる。
【００２９】
図１に示すＭＲＩ装置における音声通信装置において、操作卓４側から、所望時に所望の音楽信号を送出し、被検者側送受話器７の音声直接伝達形音響トランスデューサ、例えば骨伝導スピーカに与えてその音楽信号を再生し、音楽を出力させる音楽送信手段１１を設けてもよい。
これによれば、操作卓４側から被検者５側に送られる音声を明確に聞き取ることができるという上述効果に加えて、所望時、特にＭＲＩ検査中に、被検者５に音楽を聴かせ、被検者５の精神的な負担を緩和できる（不快感や不安、特に孤独感が和らげられる）という効果も得られる。また、被検者６の健康状態の急変や被検者６からの緊急の合図にも臨機応変に対応できる。
【００３０】
次に、上記被検者側送受話器７の具体的な実施例について、図２〜図６を参照して説明する。
図２及び図３は、各々図１中の被検者側送受話器７の第１実施例を示す図である。図４は同じく被検者側送受話器７の第２実施例を示す図、図５は同第３実施例を示す図、図６は同第４実施例を示す図である。
図３〜図５の各図において、（ａ）は被検者側送受話器７を被検者に装着した状態を被検者正面側から一部切断して示す図、（ｂ）は（ａ）図の左側面（被検者の右側面）における要部を取り出して示す図である。図６において、（ａ）は被検者側送受話器７を被検者に装着した状態を被検者正面側から示す図、（ｂ）は（ａ）図の左側面（被検者の右側面）図である。
【００３１】
図２、図３（第１実施例）及び図４（第２実施例）は、送話用に非磁性の圧電素子からなる骨伝導マイクロホン（以下、圧電型骨伝導マイクロホンという。）２１が、受話用に同じく非磁性の圧電素子からなる骨伝導スピーカ（以下、圧電型骨伝導スピーカという。）２２が使用された被検者側送受話器７を例示する。
いずれの例も、圧電型骨伝導マイクロホン２１及び圧電型骨伝導スピーカ２２がヘッドホン形の遮音用イヤーマフ（遮音用耳当て）２３と一体に構成されている。このうち圧電型骨伝導マイクロホン２１は、遮音用イヤーマフ２３のイヤーパッド２４内方のほぼ中央部分（一般的な被検者５の耳孔２５対応箇所）に位置され、被検者５が遮音用イヤーマフ２３を装着したときにその先端部が被検者５の耳孔２５内に挿入され得るように構成されている。
圧電型骨伝導スピーカ２２は、図２、図３に示す実施例では上記イヤーパッド２４の内部（一般的な被検者５の耳介２６周囲部分の対応箇所）に収められている。イヤーパッド２４内部であればいずれの箇所でもよいが、図２、図３に示す実施例では、イヤーパッド２４上部側の前後方向中央よりもやや前方の位置に収められている。
図４に示す実施例では、圧電型骨伝導スピーカ２２はイヤーパッド２４内方の中央部分（一般的な被検者５の耳孔２５対応箇所）よりもやや前方、又はやや前方斜め上に位置されている。
【００３２】
これら図２、図３及び図４において、圧電型骨伝導マイクロホン２１及び圧電型骨伝導スピーカ２２は、その各作動面が、遮音用イヤーマフ２３の被検者５への装着時に、その被検者５〔頭部５ａ（耳孔２５部分を含む。）〕に直接、又は保護カバーやクッション材等からなる保護部材（図示せず）を介して接触するように組み込まれている。この接触の圧力は、遮音用イヤーマフ２３の左右のハウジング２７を連結するヘッドバンド２８の材質等により設定可能であり、また同ヘッドバンド２８の左右方向〔図３（ａ）、図４（ａ）中、左右方向〕の長さ調整によって調節可能である。
【００３３】
上記イヤーパッド２４は、左右各ハウジング２７の内側面に同形状（寸法）、同材質で設けられているが、圧電型骨伝導マイクロホン２１及び圧電型骨伝導スピーカ２２は左右のハウジング２７、イヤーパッド２４の一方側、図示例では右側に設けられている。上記各マイクロホン２１及びスピーカ２２は、ハウジング２７に連結、保持されている。
【００３４】
一般的な遮音用イヤーマフ２３には、ヘッドバンド２８に係る上記構成以外にも、被検者頭部５ａに対する着脱が容易になり、また、装着時に被検者頭部５ａに適度な装着感が与えられるような機能、構造が施されているが、本実施例における遮音用イヤーマフ２３についても、図示しないが同様の機能、構造が施されている。
【００３５】
なお、図２、図３及び図４に示す実施例において、圧電型骨伝導マイクロホン２１を、遮音用イヤーマフ２３のイヤーパッド２４内方の下方部分（一般的な被検者５の耳孔２５対応箇所の真下辺り）に位置するように構成してもよい。また、同圧電型骨伝導マイクロホン２１を遮音用イヤーマフ２３のイヤーパッド２４内部（図３に示す実施例に適用する場合には、図３中の圧電型骨伝導スピーカ２２とは反対側の位置）に収めてもよい。
【００３６】
図５及び図６は、送話用の音声直接伝達形音響トランスデューサとして、非磁性の圧電素子からなる咽喉マイクロホン（以下、圧電型咽喉マイクロホンという。）２９が使用された被検者側送受話器７を例示する。このように、圧電型骨伝導マイクロホンに代えて圧電型咽喉マイクロホン２９を用いてもよい。
【００３７】
圧電型骨伝導スピーカ２２は、図５に示す実施例では図４に示す実施例と同様にヘッドホン形の遮音用イヤーマフ２３のイヤーパッド２４の内部に収められている。また図５に示す実施例では、圧電型咽喉マイクロホン２９は、上記遮音用イヤーマフ２３の左右のハウジング２７の一方側、図示例では右側から咽喉部分に延出するアーム３０を介して連結、保持されている。
【００３８】
図６に示す実施例では、圧電型骨伝導スピーカ２２は一般的な被検者５の耳介２６のやや下方部分に接触するように設けられている。この圧電型骨伝導スピーカ２２及び上記圧電型咽喉マイクロホン２９は一方の耳から咽喉部分を通って他方の耳に至るほぼＵ字状のアーム３１に各々連結、保持されている。このアーム３１は、左右各端に弧状の耳かけ３２が形成されており、被検者５の両耳に掛けることが可能である。環状のバンド３３は、アーム３１、ひいては上記圧電型骨伝導スピーカ２２及び圧電型咽喉マイクロホン２９が図示位置からずれ移動し、あるいは落下しないように保持する保持具であり、ゴム等の伸縮自在の帯状体で作製されている。
【００３９】
これら図５及び図６において、圧電型咽喉マイクロホン２９及び圧電型骨伝導スピーカ２２は、遮音用イヤーマフ２３あるいは耳かけ３２・バンド３３を被検者５に装着した時に、その各作動面が、被検者５（咽喉部分、頭部）に直接、又は保護カバーやクッション材等からなる保護部材（図示せず）を介して接触するように、上記遮音用イヤーマフ２３、アーム３０又はアーム３１に組み込まれている。
【００４０】
図７は、図２〜図６中の圧電型骨伝導スピーカ２２及び図２〜図４中の圧電型骨伝導マイクロホンの構成を概略的に示す断面図である。
図示するように、圧電型骨伝導スピーカ２２及び圧電型骨伝導マイクロホン２１は、圧電バイモルフ（セラミック）７１をエラストマ材７２で保持して音声信号により振動体７３を振動（音声を出力）させ、あるいは音声（振動）により振動体７３が振動して音声信号（電気信号）が出力されるように構成されている。エラストマ材７２は、ケース７４の内面に固着された支持部材７５に支持され、圧電バイモルフ７１はケース７４内に収められ、振動体７３は少なくともその表面（作動面）７６がケース７４外に位置するように構成されている。
なお、圧電型骨伝導スピーカ２２及び圧電型骨伝導マイクロホン２１の構成は、この図７に例示するものに限定されることはない。
【００４１】
図２〜図５に示す各実施例によれば、遮音用イヤーマフ２３を備えて構成されているので被検者５にとって使いやすく、また、耳栓や遮音用イヤーマフを別途用意することなく、操作卓側からの音声をより鮮明に聞き取ることができる。
また図２〜図６に示す実施例によれば、音声直接伝達形音響トランスデューサが鉄等の磁性体で構成されることに起因するＭＲＩ画像中のノイズ発生及び画像の欠落、歪み防止できる。遮音用イヤーマフ２３、環状のバンド３３、アーム３０，３１等、被検者側送受話器７を構成する全ての部材を非磁性体で構成すれば、上記ＭＲＩ画像中のノイズ発生及び画像の欠落、歪みの防止効果はより高いものとなる。
図６に示す実施例では、遮音用イヤーマフを備えていないので、必要に応じて耳栓３４を併用してもよく、これによれば、操作卓側からの音声をより鮮明に聞き取ることができる。
【００４２】
なお、図２〜図４中の圧電型骨伝導マイクロホン２１及び圧電型骨伝導スピーカ２２、及び図５、図６中の圧電型骨伝導スピーカ２２を、被検者５の頭部５ａの左右両側に各々１個又は複数個、位置するように構成してもよい。図２〜図６中の圧電型骨伝導スピーカ２２を各々被検者５の頭部５ａの左右両側に各々配置させれば、例えば図１中の音楽送信手段１１からステレオ音楽信号を受けてステレオ再生可能となり、被検者５はステレオ音楽を聴くことができ、被検者５の不快感や不安、特に孤独感をより和らげることが可能となる。
また、特に図３及び図４に示す実施例のように、マイクロホン２１及びスピーカ２２が接近して配置される場合には、操作者側との双方向通信においてハウリングが生じないように、マイクロホン２１及びスピーカ２２を切替作動可能に構成することが望ましい。
【図面の簡単な説明】
【００４３】
【図１】本発明装置の一実施形態の概略を示すブロック図である。
【図２】図１中の被検者側送受話器の第１実施例を示す斜視図である。
【図３】図１中の被検者側送受話器の第１実施例を被検者に装着した状態で示す図である。
【図４】図１中の被検者側送受話器の第２実施例を被検者に装着した状態で示す図である。
【図５】図１中の被検者側送受話器の第３実施例を被検者に装着した状態で示す図である。
【図６】図１中の被検者側送受話器の第４実施例を被検者に装着した状態で示す図である。
【図７】図２〜図６中の圧電型骨伝導スピーカ及び図２〜図４中の圧電型骨伝導マイクロホンの構成を概略的に示す断面図である。
【符号の説明】
【００４４】
１：検査室、２：ガントリ、３：操作室、４：操作卓、５：被検者、６：操作者、７：骨伝導マイクロホン・骨伝導スピーカが使用された被検者側送受話器９：音声通信制御装置、１１：音楽送信手段。
【図１】
2005245580.tif 000003
【図２】
2005245580.tif 000004
【図３】
2005245580.tif 000005
【図４】
2005245580.tif 000006
【図５】
2005245580.tif 000007
【図６】
2005245580.tif 000008
【図７】
2005245580.tif 000009